(57)【要約】【課題】特にキオスク端末において効率的に写真の選択を印刷を行うことができる写真印刷装置、写真選択方法、及びそのプログラムを提供する。【解決手段】端末装置から端末装置を特定する電子メールアドレスを含む特定情報を受信する受信手段と、特定情報と関連付けた所定の画像記憶用フォルダを作成するフォルダ作成手段と、記録媒体に記憶された画像を読取る画像読取手段と、所定の画像記憶用フォルダのサムネイル画像を作成する縮小画像生成手段と、サムネイル画像を用いて、前記特定情報と関連付けた所定のＵＲＬを有する閲覧用アルバムページを生成するアルバム生成手段と、電子メールアドレスを用いて前記所定のＵＲＬを前記端末装置に通知する通知手段と、端末装置から受信した選択情報を用いて、前記選択情報に対応する画像を印刷する印刷手段と、印刷手段が印刷中の画像記憶用フォルダと関連付けられた前記特定情報の一部を画面に表示する表示手段とを備える。【選択図】図３
2010157940.tif 000002
【特許請求の範囲】
【請求項１】
端末装置と通信可能な写真印刷装置であって、
前記端末装置から前記端末装置を特定する電子メールアドレスを含む特定情報を受信する受信手段と、
前記特定情報と関連付けた所定の画像記憶用フォルダを作成するフォルダ作成手段と、
記録媒体に記憶された画像を読取る画像読取手段と、
前記画像読取手段が読取った前記記録媒体の画像を前記所定の画像記憶用フォルダに記憶する記憶手段と、
所定の画像記憶用フォルダのサムネイル画像を作成する縮小画像生成手段と、
前記サムネイル画像を用いて、前記特定情報と関連付けた所定のＵＲＬを有する閲覧用アルバムページを生成するアルバム生成手段と、
前記電子メールアドレスを用いて前記所定のＵＲＬを前記端末装置に通知する通知手段と、
前記端末装置から受信した選択情報を用いて、前記選択情報に対応する画像を印刷する印刷手段と、
前記印刷手段が印刷中の画像記憶用フォルダと関連付けられた前記特定情報の一部を画面に表示する表示手段と
を備えることを特徴とする写真印刷装置。
【請求項２】
前記印刷手段は複数のプリンタを備え、
前記表示手段は、複数のプリンタの位置に応じた表示位置に前記特定情報の一部を表示することを特徴とする請求項１記載の写真印刷装置。
【請求項３】
端末装置と通信可能な写真印刷装置の制御方法であって、
前記端末装置から前記端末装置を特定する電子メールアドレスを含む特定情報を受信する受信工程と、
前記特定情報と関連付けた所定の画像記憶用フォルダを作成するフォルダ作成工程と、
記録媒体に記憶された画像を読取る画像読取工程と、
前記画像読取手段が読取った前記記録媒体の画像を前記所定の画像記憶用フォルダに記憶する記憶工程と、
所定の画像記憶用フォルダのサムネイル画像を作成する縮小画像生成工程と、
前記サムネイル画像を用いて、前記特定情報と関連付けた所定のＵＲＬを有する閲覧用アルバムページを生成するアルバム生成工程と、
前記電子メールアドレスを用いて前記所定のＵＲＬを前記端末装置に通知する通知工程と、
前記端末装置から受信した選択情報を用いて、前記選択情報に対応する画像を印刷する印刷工程と、
前記印刷手段が印刷中の画像記憶用フォルダと関連付けられた前記特定情報の一部を画面に表示する表示工程と
を備えることを特徴とする写真印刷装置の制御方法。
【請求項４】
端末装置と通信可能な写真印刷装置の制御プログラムであって、
前記写真印刷装置を、
前記端末装置から前記端末装置を特定する特定情報を受信する受信手段と、
前記特定情報と関連付けた所定の画像記憶用フォルダを作成するフォルダ作成手段と、
記録媒体に記憶された画像を読取る画像読取手段と、
前記画像読取手段が読取った前記記録媒体の画像を前記所定の画像記憶用フォルダに記憶する記憶手段と、
所定の画像記憶用フォルダのサムネイル画像を作成する縮小画像生成手段と、
前記サムネイル画像を用いて、前記特定情報を一部として含む所定のＵＲＬを有する閲覧用アルバムページを生成するアルバム生成手段と、
前記所定のＵＲＬを前記端末装置に通知する通知手段と、
前記端末装置から受信した選択情報を用いて、前記選択情報に対応する画像を印刷する印刷手段と、
前記印刷手段が印刷中の画像記憶用フォルダと関連付けられた前記特定情報の一部を画面に表示する表示手段として機能させるための制御プログラム。
【発明の詳細な説明】
【技術分野】
【０００１】
本発明は、キオスク端末等において効率的に写真選択及び写真印刷が可能な写真印刷装置、写真選択方法、及びそのプログラムに関する。
【背景技術】
【０００２】
デジタルカメラで撮影した写真のプリントは、一般的にデジタルカメラからＵＳＢケーブル等で画像をパソコンに転送して画像をパソコンの画面に表示して選択してから、パソコンに接続されたプリンタで印刷するか、又は、駅の近傍や写真店に設置されているいわゆるキオスク端末にデジタルカメラのメモリカードを挿入して画像を読み出し、所望の写真を選択してから印刷するのが一般的である。
【０００３】
又、特許文献１には、プリント関連画像表示部は、関連情報抽出部がプリント中の画像から抽出した関連情報の全部または一部と一致する関連情報に対応づけられている記憶画像を、ＨＤＤから検索し、該当する記憶画像を抽出してワークメモリに一時的に保存し、プリント関連画像表示部は、ワークメモリに一時的に保存された記憶画像を、撮影日の新しいものから１枚ずつ順次表示装置に表示する。又プリント管理部は、ワークメモリに保存されている記憶画像をサムネイル化し、これをプリントすべき画像のサムネイル画像としてプリント画面に表示することによりプリント中にユーザを飽きさせることなく、かつ、別のプリントの促進につながる表示を行うプリント装置が開示されている。
【０００４】
【特許文献１】特開２００７−０９８７９４号公報
【発明の開示】
【発明が解決しようとする課題】
【０００５】
最近ではメモリカードも数ギガバイトの容量を有し、多くの写真データを記憶できるため、メモリカードの画像から所望の画像を見つけるのが大変である。やっと見つけたとしてもその写真がピンボケや手ぶれ、フレームアウト等で注文したい写真ではない場合も多く、写真の選択に多大な時間が必要となるという問題がある。
【０００６】
又特許文献１開示の技術によれば、写真を印刷している間に関連画像を表示できるため、利用者が飽きず、かつプリント枚数の増加も見込めるが、キオスク端末の回転率を上げることはできない。例えば、キオスク端末で多くの写真データから印刷したい画像を選択しようとしても、次の人が待っているといった場合にはゆっくり写真を選択できないし、待っている人もいらいらしてしまうという問題がある。
【０００７】
本発明は上記従来技術の問題点を解決し、特にキオスク端末において効率的に写真の選択を印刷を行うことができる写真印刷装置、写真選択方法、及びそのプログラムを提供するものである。
【課題を解決するための手段】
【０００８】
上記課題を解決するために、本発明の写真印刷装置は、端末装置と通信可能な写真印刷装置であって、前記端末装置から前記端末装置を特定する電子メールアドレスを含む特定情報を受信する受信手段と、前記特定情報と関連付けた所定の画像記憶用フォルダを作成するフォルダ作成手段と、記録媒体に記憶された画像を読取る画像読取手段と、前記画像読取手段が読取った前記記録媒体の画像を前記所定の画像記憶用フォルダに記憶する記憶手段と、所定の画像記憶用フォルダのサムネイル画像を作成する縮小画像生成手段と、記サムネイル画像を用いて、前記特定情報と関連付けた所定のＵＲＬを有する閲覧用アルバムページを生成するアルバム生成手段と、記電子メールアドレスを用いて前記所定のＵＲＬを前記端末装置に通知する通知手段と、記端末装置から受信した選択情報を用いて、前記選択情報に対応する画像を印刷する印刷手段と、前記印刷手段が印刷中の画像記憶用フォルダと関連付けられた前記特定情報の一部を画面に表示する表示手段とを備えることを特徴とする。
【０００９】
上記課題を解決するために、本発明の写真印刷装置の制御プログラムは、端末装置と通信可能な写真印刷装置の制御プログラムであって、前記写真印刷装置を、前記端末装置から前記端末装置を特定する特定情報を受信する受信手段と、前記特定情報と関連付けた所定の画像記憶用フォルダを作成するフォルダ作成手段と、記録媒体に記憶された画像を読取る画像読取手段と、前記画像読取手段が読取った前記記録媒体の画像を前記所定の画像記憶用フォルダに記憶する記憶手段と、所定の画像記憶用フォルダのサムネイル画像を作成する縮小画像生成手段と、前記サムネイル画像を用いて、前記特定情報を一部として含む所定のＵＲＬを有する閲覧用アルバムページを生成するアルバム生成手段と、前記所定のＵＲＬを前記端末装置に通知する通知手段と、前記端末装置から受信した選択情報を用いて、前記選択情報に対応する画像を印刷する印刷手段と、前記印刷手段が印刷中の画像記憶用フォルダと関連付けられた前記特定情報の一部を画面に表示する表示手段として機能させる。
【発明の効果】
【００１０】
本発明によれば、自分が読込ませた画像を用いて閲覧サイトを生成し、携帯電話に閲覧サイトのＵＲＬを通知してくれるので、ゆっくり写真を選ぶことができるし、写真印刷装置の表示部に例えば電子メールアドレスや電話番号の一部を表示した状態で写真を印刷するので写真を取り違えることも防止でき、写真印刷用キオスク端末の稼働率を向上させると共に利用者は快適に写真印刷することが可能になる。
【発明を実施するための最良の形態】
【００１１】
以下図面に従って本発明の実施形態を説明する。図１本発明の写真印刷装置に該当するキオスク端末１００と、本発明の端末装置に該当する各携帯電話との構成を示す図である。
携帯電話Ａ２００及び携帯電話Ｂ２５０とは通信回線４００を介して通信可能に構成されている。キオスク端末１００には、メモリリーダＡ１１５、メモリリーダＢ１５５とフォトプリンタＡ１１０及びフォトプリンタＢ１５０とが接続されている。メモリリーダＡ１１５とメモリリーダＢ１５５はデジタルカメラのメモリカードを挿入してキオスク端末に画像を読込ませるためのリーダである。
【００１２】
図２は本発明の実施の形態におけるキオスク端末１００のハードウェア構成を示す図である。図２においてＣＰＵ２１、ＲＡＭ２２、ＲＯＭ２３、通信アダプタ２４、ビデオアダプタ２５、キーボード２６、マウス２７、ハードディスク２８、ＤＶＤ−ＲＯＭドライブ２９はそれぞれシステムバス２０を介して互いに接続されている。システムバス２０は例えばＰＣＩバス、ＡＧＰバス、メモリバス等を意味する。又図２では、各バス間の接続用チップやキーボードインタフェースやいわゆるＳＣＳＩやＡＴＡＰＩのような入出力用インタフェースは省略されている。
【００１３】
ＣＰＵ２１はオペレーションシステムのプログラムやアプリケーションプログラムに基づいて四則演算や比較演算等の各種の演算や、ハードウェアの制御を行う。ＲＡＭ２２には、ハードディスク２８やＤＶＤ−ＲＯＭドライブ２９に装着されたＣＤ−ＲＯＭやＣＤ−Ｒ等の記憶媒体から読み出されたオペレーションシステム（ＯＳ）のプログラムやアプリケーションプログラム、及び実行時の各種ワークファイル、入力データ等が記憶され、ＣＰＵ２１は各プログラムの実行を制御する。
【００１４】
ＲＯＭ２３には起動プログラム（ブートプログラム）や、オペレーションシステムと協働して各ハードウェアの入出力を司るいわゆるＢＩＯＳ（Ｂａｓｉｃ  Ｉｎｐｕｔ  Ｏｕｔｐｕｔ  Ｓｙｓｔｅｍ）等が予め記憶されている。通信アダプタ２４は、ＣＰＵによって制御されるオペレーションシステムの通信プログラムと協働してネットワークを介した外部との通信を行うものであり、所謂ＬＡＮアダプタ（ＮＩＣ）が典型例である。ディスプレイアダプタ２５はディスプレイ装置に出力する画像信号を生成する。キオスク端末１００ではこのディスプレイアダプタと接続されるディスプレイ（例えば液晶ディスプレイ）を内蔵している。キーボード２６やマウス２７はキオスク端末１００への指示を入力するために用いられる。
【００１５】
ハードディスク２８はオペレーティングシステムや図４〜図５のアプリケーションプログラム（個人アルバムサイト作成プログラムを含む）や図６乃至図１０の各画面を文書管理装置１３０や端末装置１２０のディスプレイに表示させるためのアプリケーションプログラムの一部としての画面情報を記憶している。又携帯電話Ａ２００や携帯電話Ｂ２５０にダウンロードさせて実行するＪａｖａ（登録商標）アプレット形式のプログラムも記憶している。なおハードディスク２８の代わりに  ＲＡＭ２２と兼用の不揮発性メモリを用いても良い。
【００１６】
ＤＶＤ−ＲＯＭドライブ２９はＤＶＤ−ＲＯＭやＤＶＤ−Ｒ／Ｗや所謂ブルーレイディスク等の記憶媒体を装着してアプリケーションプログラムをハードディスク２８にインストールするのに用いる。なおＤＶＤ−ＲＯＭドライブの代わりにＤＶＤ−Ｒ／Ｗドライブや所謂ブルーレイドライブや  ＭＯドライブ等を用いても良いのは言うまでもない。
【００１７】
次に図３と図４とを用いて本発明のキオスク端末１００への画像データ取込処理と個人アルバムページ作成処理とを説明する。図４のフローチャートで、ステップＳ４０１〜ステップＳ４０２は携帯電話Ａ２００又は携帯電話Ｂ２５０のＣＰＵ２１の制御の下で実行され、ステップＳ４２１〜ステップＳ４３１はキオスク端末１００のＣＰＵ２１の制御の下で実行する処理である。ステップＳ４０３はユーザの操作による。
【００１８】
ステップＳ４０１では、携帯電話Ａ２００はキオスク端末１００の本体に記載されている登録申込用メールアドレスを直接入力するか、キオスク端末１００の本体に記載されている（登録申込用メールアドレスを記録した）バーコードをカメラで撮影して、携帯電話Ａ２００に予め内蔵されているバーコードの解読プログラムを用いてバーコードを登録先メールアドレスに変換し、処理をステップＳ４０２に進める。ステップＳ４０２では、携帯電話Ａ２００はキオスク端末１００の登録申込用メールアドレスに空メール（本文がなく、ヘッダ部分に送信元のメールアドレスを含む電子メール）を送信する。
【００１９】
次にステップＳ４２１では、キオスク端末１００は登録申込メールを受信し、処理をステップＳ４２２に進める。ステップＳ４２２では、キオスク端末１００は送信元のメールアドレスをキーにしてハードディスク２８に記憶されている申込情報テーブル（送信元のメールアドレス、受信日を記憶している）を参照し、該当するメールアドレスがない場合は、申込情報（受信したシステム日付と送信元のメールアドレスとのペア）を用いて新しいレコードを申込情報テーブルに登録し、更に新規申込である旨をＲＡＭ２２のワークエリアに記憶し、処理をステップＳ４２３に進める。
【００２０】
次にステップＳ４２３では、キオスク端末１００はＲＡＭ２２のワークエリアを参照し新規申込である旨が記憶されている場合、ハードディスク２８の所定の画像記憶フォルダ内に新たにサブフォルダを作成する。サブフォルダ名は例えば３文字“ＦＬＤ”に電子メールアドレスの＠マークやピリオドを除いた文字部分を付けた名称を用いる。ＲＡＭ２２のワークエリアを参照し新規申込である旨が記憶されていない場合は、管理テーブル２８０を送信元のメールアドレスをキーにして参照して、フォルダ名称を取得し、既に存在する（送信元のメールアドレスに関連付けられた）フォルダの下に受信年月日のサブフォルダを更に作成して、処理をステップＳ４２４に進める。
【００２１】
ステップＳ４２４では、キオスク端末１００は表示画面に「メモリカードを挿入して下さい」とのメッセージを表示し、処理をステップＳ４２５に進める。ステップＳ４２５では、キオスク端末１００はメモリリーダＡ１１５にメモリカードＡ３００が挿入されるのを待ち、ユーザがデジタルカメラの画像が記録されたメモリカードＡ３００を挿入したことを検知すると、メモリカードＡ３００から画像を読取ってステップＳ４２３で作成したフォルダ又はサブフォルダに読取った画像を記憶して、処理をステップＳ４２６に進める。
【００２２】
ステップＳ４２６では、キオスク端末１００はステップＳ４２５で新たにフォルダに記憶した画像を用いてサムネイルを作成する。サムネイルの名称は例えば読込んだ画像の末尾にそれぞれ“ｓ”を付加した画像名で作成する。サムネイル作成後、処理をステップＳ４２７に進める。ステップＳ４２７では、キオスク端末１００はステップＳ４２６で作成したサムネイルを用いて所定のＵＲＬを持つ個人アルバム用ページを生成してハードディスク２８の個人アルバム用フォルダ下に作成する。所定のＵＲＬはメールアドレスの一部を使用し一意になるようにする。例えば、当該サービスの提供会社のドメインが「ｗｗｗ．ｄｐｈｏｔｏ−ｓｅｌｅｃｔ．ｃｏｍ」であり、送信元の電子メールアドレスが“ｔｏｍｏ＠ａｂｃｄｃｂａ．ｎｅ．ｊｐ”でキオスク端末１００が「０１２３号機」の場合、ｗｗｗ．ｄｐｈｏｔｏ−ｓｅｌｅｃｔ．ｃｏｍ／０１２３／  ａｂｃｄｃｂａ．ｎｅ．ｊｐ  ／ｍａｉｌ．ｔｏｍｏ／のＵＲＬのアルバムページを生成する。個人アルバム用ページを生成してから、処理をステップＳ４２８に進める。
【００２３】
ステップＳ４２８では、キオスク端末１００は図３に示すようなＵＲＬ通知メール（例えば、画像選択サイトのお知らせ  あなたが品川駅前南口のキオスク端末で午後５時２０分に読込ませた画像の閲覧選択サイトが  ｈｔｔｐ：／／ｗｗｗ．ｄｐｈｏｔｏ−ｓｅｌｅｃｔ．ｃｏｍ／  ０１２３／  ａｂｃｄｃｂａ．ｎｅ．ｊｐ  ／ｍａｉｌ．ｔｏｍｏ／  に作成されました。とのメール）の本文を生成し、処理をステップＳ４２９に進める。ステップＳ４２９では、キオスク端末１００は送信元のメールアドレスに対して、ステップＳ４２８で作成した本文の電子メールを送信し、処理をステップＳ４３０に進める。ステップＳ４３０では、キオスク端末１００は今回受信してＲＡＭ２２のワークエリアに記憶している申込情報と新規登録であるか否かの情報を用いて、新規登録の場合はステップＳ４２７で作成した個人アルバム用ページのＵＲＬやステップＳ４２３で生成したフォルダのフォルダ名称を用いて、管理番号を採番して管理テーブル２８１に新たなレコードを追加する。他方、新規登録でない場合は、本日のシステム日付を用いて理テーブル２８１の作成日を更新して、処理をステップＳ４３１に進める。ここで管理テーブルが記憶している項目について説明する。管理テーブル２８１はハードディスク２８に記憶されており、フォルダの新規作成時にシステムが採番する一意の管理番号、申込者のメールアドレス（送信元メールアドレス）、申込者のメールアドレスに関連付けて作成した画像保存用のフォルダを特定するフォルダパスを記憶するフォルダ名、申込者のメールアドレスに関連付けて作成した個人アルバムページのＵＲＬ、フォルダを作成した日を示す作成日、フォルダに記憶した画像データの数を示す画像数、このフォルダの画像を印刷したかを示す印刷区分（０：未、  １：印刷中、２：印刷済み））を記憶している。
【００２４】
ステップＳ４３１では、キオスク端末１００は新たに作成したフォルダ内に画像テーブル２８２を作成する（このように画像テーブルはフォルダ毎に存在する）。画像テーブル２８２はフォルダ内の各画像を管理するためのテーブルであり、画像テーブル２８２は画像番号（メモリカードから読取った画像の画像のファイル名から拡張子部分を除いた部分を１で始まる連番にリネームしたもの）、選択区分（０：非選択、１：選択）、印刷区分（０：未印刷、１：印刷）の各項目を画像数と等しいレコード数記憶している。以上で図４の説明を終わる。
【００２５】
次に図５のフローチャート及び図６乃至図１０の画面を参照しながら、本発明の画像選択処理と印刷処理を説明する。図５のフローチャートで、ステップＳ５０１〜ステップＳ５０９は携帯電話Ａ２００又は携帯電話Ｂ２５０のＣＰＵ２１の制御の下で実行される処理であり、ステップＳ５２０〜  ステップＳ５３４はキオスク端末１００のＣＰＵ２１の制御の下で実行する処理である。
【００２６】
ステップＳ５０１では、携帯電話Ａ２００は図３に表示される電子メールの本文に貼り付けられた個人アルバムページのＵＲＬを選択し、当該ＵＲＬに対する参照要求を送信し、処理をステップＳ５０２に進める。
【００２７】
ステップＳ５０２では、携帯電話Ａ２００は画面情報を受信し図６に示す画像選択画面表示する。図６の画像選択画面６０では、サムネイル画像表示部６１、前のサムネール画像を要求する際に押下する前頁ボタン６２、次のサムネール画像を要求する次頁ボタン６３、現在表示されているサムネイル画像に対応する画像を印刷対象として選択する際に押下するための画像選択ボタン６４、選択を終了して印刷する際に押下する印刷ボタン６５、画像選択をキャンセルする際に押下するキャンセルボタン６６、現在表示されているサムネイル画像に対応する画像を印刷対象として複数枚指定する際に押下するための複数枚選択ボタン６７を表示して処理をステップＳ５０３に進める。
【００２８】
ステップＳ５０３では、携帯電話Ａ２００は操作の有無（図６に示す何れかのボタンの押下の有無）を判定し、操作があった場合は処理をステップＳ５０４に進め、操作がない場合は処理をステップＳ５０２に戻す。ステップＳ５０４では、携帯電話Ａ２００は図６押下されたボタンを特定可能な操作情報をキオスク端末１００に送信して、キオスク端末１００からの画面情報の受信を待つ。
【００２９】
他方、ステップＳ５２０では、キオスク端末１００は参照要求を受信し、要求された個人アルバムページのＵＲＬ（図６に示す最初のサムネイル画像を携帯電話Ａ２００の画面に表示するためのＵＲＬ）に該当する画面を表示するための画面情報をハードディスク２８から読み出し、ＲＡＭ２２のワークエリアに記憶する枚数カウンタ（アルバム中のどの画像が表示されているかを示すカウンタ）を１に初期化して、処理をステップＳ５２１に進める。ステップＳ５２１では、キオスク端末１００は画面情報を携帯電話Ａ２００に送信し、処理をステップＳ５２２に進める。ステップＳ５２２では、キオスク端末１００は携帯電話Ａ２００からの操作情報の受信待ちとなり、携帯電話Ａ２００から操作情報（図６に示すどのボタンを押下したかを特定可能な情報）を受信すると処理をステップＳ５２３に進める。ステップＳ５２３では、キオスク端末１００は受信した操作情報をＲＡＭ２２のワークエリアに記憶し、処理をステップＳ５２４に進める。
【００３０】
ステップＳ５２４では、キオスク端末１００はＲＡＭ２２のワークエリアを参照して、受信した操作情報が現在表示されている画像の選択（図６の画面で画像選択ボタン６４又は複数枚選択ボタン６７の押下）であるかを判定し、現在表示されている画像の選択である場合は処理をステップＳ５２５に進め、現在表示されている画像の選択でない場合は処理をステップＳ５２６に進める。ステップＳ５２５では、キオスク端末１００は枚数カウンタを参照して、画像テーブル２８２の現在表示している画像の選択区分を１に更新し、携帯電話Ａ２００に「画像が選択されました」とのメッセージを送信、処理をステップＤ５２２に戻す。携帯電話Ａ２００はステップＳ５０５で「画像が選択されました」とのメッセージを所定時間表示後、処理をステップＳ５０２に戻す。
【００３１】
他方、ステップＳ５２６では、キオスク端末１００はＲＡＭ２２のワークエリアを参照して、受信した操作情報が現在表示されている次画像の要求（図６の画面で次頁ボタン６３の押下）であるかを判定し、次画像の要求である場合は処理をステップＳ５２７に進め、次画像の要求でない場合は処理をステップＳ５２８に進める。ステップＳ５２７では、キオスク端末１００はＲＡＭ２２のワークエリアに記憶している枚数カウンタに１を加え、次のサムネイル画像をハードディスク２８から読み出して携帯電話Ａ２００に送信し、処理をステップＳ５２２に戻す。携帯電話Ａ２００はステップＳ５０６で次のサムネイル画像を受信して表示し所定時間表示後、処理をステップＳ５０２に戻す。
【００３２】
次にステップＳ５２８では、キオスク端末１００はＲＡＭ２２のワークエリアを参照して、受信した操作情報が現在表示されている前画像の要求（図６の画面で前頁ボタン６２の押下）であるかを判定し、前画像の要求である場合は処理をステップＳ５２９に進め、次画像の要求でない場合は処理をステップＳ５３０に進める。ステップＳ５２９では、キオスク端末１００は枚数カウンタから１を引き、前のサムネイル画像をハードディスク２８から読み出して携帯電話Ａ２００に送信し、処理をステップＳ５２２に戻す。携帯電話Ａ２００はステップＳ５０７で前のサムネイル画像を受信して表示し所定時間表示後、処理をステップＳ５０２に戻す。
【００３３】
次にステップＳ５３０では、キオスク端末１００はＲＡＭ２２のワークエリアを参照して、受信した操作情報が印刷要求（図６の画面で印刷ボタン６５の押下）であるかを判定し、印刷の要求である場合は処理をステップＳ５３１に進め、印刷の要求でない場合は処理をステップＳ５３２に進める。ステップＳ５３０では、キオスク端末１００は画像管理テーブルの全レコードを参照して選択区分が１になっているレコード数を集計し（選択された総枚数を計算し）、この総枚数にハードディスクの不図示の料金マスタに記憶している１枚当たりの金額（例えば１枚２０円）を乗じた金額を課金額としてＲＡＭ２２のワークエリアに記憶し、ハードディスクに記憶している図７の画面を携帯電話Ａ２００の画面に表示させるための画面情報をハードディスク２８から読み出して、総枚数と課金額とを含む画面情報を生成して携帯電話Ａ２００に送信し、処理をステップＳ５２２に戻す。携帯電話Ａ２００はステップＳ５０８で画面情報を受信して図７に示す総枚数と課金額と課金金額の入金を促す旨のメッセージを表示し所定時間表示後、処理をステップＳ５０２に戻し、ステップＳ５０２で図７の画面で印刷ボタン７５が押下されると、ステップＳ５０３とステップＳ５０４を経由して図７の画面で印刷ボタン７５が押下された旨の操作情報がキオスク端末１００に送信され、ＲＡＭ２２のワークエリアに記憶して、以下ステップ５２３からステップＳ５２４に進み、ステップＳ５２４とステップＳ５２６とステップＳ５２８とステップＳ５３０でいずれもＮｏとなってステップＳ５３２に進む。
【００３４】
ステップＳ５３２では、キオスク端末１００は図７の画面で印刷ボタン７５が押下された旨の操作情報を受信し、かつステップＳ５３１で計算した課金金額を超える金額がキオスク端末１００に入金されたかを判定し、課金金額を超える金額がキオスク端末１００に入金された場合は処理をステップＳ５３３に進め、課金金額を超える金額がキオスク端末１００に入金されていない場合は処理をステップＳ５２２に進め、ステップＳ５２２でキャンセルボタン７６を押下した旨の操作情報を受信した場合は、処理を終了する。ステップＳ５２２でキャンセルボタン７６を押下した旨の操作情報を受信しない場合は、ステップＳ５２２乃至ステップ５３２までのループを（課金金額の入金があるか、キャンセルボタン７６を押下した旨の操作情報を受信するまで）繰り返えす。
【００３５】
他方、ステップ５３３では、キオスク端末１００はＲＡＭ２２のワークエリアを参照し、図７の画面で印刷ボタン７５が押下された旨の操作情報を記憶している場合は、購入確認ありと判定して、処理をステップＳ５３４に進め、図７の画面で印刷ボタン７５が押下された旨の操作情報を記憶していない場合は、購入確認未と判定して、処理をステップＳ５２２に戻す。
【００３６】
ステップ５３４では、キオスク端末１００は表示画面に、図８のプリンタで印刷処理をしている旨のメッセージ（送信元メールアドレスの一部を表示したメッセージ）を表示し、処理をステップＳ５３５に進める。ステップ５３５では、キオスク端末１００はフォルダに記憶した画像のうち画像テーブル２８２の選択区分が１になっているが画像を順にＲＡＭ２２のワークエリア読み出して印刷処理を行い、印刷が完了すると、携帯電話Ａ２００に印刷が完了した旨のメッセージを送信し、処理をステップＳ５２２に戻す。
【００３７】
［その他の実施例］
上記説明では、フォトプリンタＡ１１０とメモリリーダＡ１１５と携帯電話Ａ２００の各１台の例を説明したが、これに加えて図１に示す携帯電話Ｂ２５０を使用するユーザが、メモリリーダＢ１５５にメモリカードＢ３５０を挿入してフォトプリンタＢ１５０から印刷する複数台の構成も考えられ、この場合、キオスク端末１００に２台のフォトプリンタが縦に設置している場合は、ステップＳ５３３では図９に示すように印刷中メッセージを縦に２台分表示し、キオスク端末１００に２台のフォトプリンタを横に設置している場合は、ステップＳ５３３では図１０に示すように印刷中メッセージを横に２台分表示する。このように表示することで、他のユーザから誤ってキャンセルぼらんを押されるリスクを減らすことができる。
【００３８】
又、本実施形態における図６乃至図９のフローチャート及び，図１１と図１２の画面に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００３９】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００４０】
この場合、記録媒体から読み出されたプログラムコード自体が本発明の新規な機能を実現することになり、そのプログラムコードを記憶した記録媒体は本発明を構成することになる。
【００４１】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００４２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００４３】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００４４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【００４５】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【図面の簡単な説明】
【００４６】
【図１】本発明の写真印刷システムのシステム構成を示す図である。
【図２】本発明のキオスク端末１００のハードウェア構成を示すブロック図である。
【図３】画像選択サイト（個人用アルバムページ）の生成を通知するメールの本文を示す図である。
【図４】本発明の画像登録処理及び個人用アルバムページの生成処理を示すフローチャートである。
【図５】本発明の画像選択処理及び印刷処理を示すフローチャートである。
【図６】本発明の携帯電話に表示される画像選択画面を示す図である。
【図７】本発明の携帯電話に表示される課金額表示画面を示す図である。
【図８】本発明のキオスク端末１００の表示画面に写真の印刷中に表示される画面を示す図である。
【図９】本発明のキオスク端末１００の表示画面に写真の印刷中に表示される画面を示す図である。
【図１０】本発明のキオスク端末１００の表示画面に写真の印刷中に表示される画面を示す図である。
【符号の説明】
【００４７】
２０  システムバス
２１  ＣＰＵ
２２  ＲＡＭ
２３  ＲＯＭ
２４  通信アダプタ
２５  ディスプレイアダプタ
２６  キーボード
２７  マウス
２８  ハードディスク（ＨＤＤ）
２９  ＤＶＤ−ＲＯＭ
１００  キオスク端末
１１０  フォトプリンタＡ
１１５  メモリリーダＡ
１５０  フォトプリンタＢ
１５５  メモリリーダＢ
２００  携帯電話Ａ
２５０  携帯電話Ｂ
【図１】
2010157940.tif 000003
【図２】
2010157940.tif 000004
【図３】
2010157940.tif 000005
【図４】
2010157940.tif 000006
【図５】
2010157940.tif 000007
【図６】
2010157940.tif 000008
【図７】
2010157940.tif 000009
【図８】
2010157940.tif 000010
【図９】
2010157940.tif 000011
【図１０】
2010157940.tif 000012